(57)【特許請求の範囲】
【請求項１】
基体雌螺子穴が開口されている基体、
および、
上記基体の一面に当接される取付け面に座繰り穴が開口されていて、その座繰り穴と同軸状に連続する取付け体雌螺子孔が貫設されている取付け体、
および、
首下細成杆部と、首下細成杆部の一端に連設された頭部と、上記取付け体を上記基体に締着するため首下細成杆部の他端に連設されたものであって、上記取付け体雌螺子孔に螺回することで上記基体の座繰り穴より上記基体雌螺子穴に螺進されるボルト雄螺子部とからなるボルト、
を具備してなる締着ボルト弛緩時脱落防止装置において、
上記基体の基体雌螺子穴にプッシャーが遊嵌されていること、
および、
上記基体の基体雌螺子穴に連通する空所がその基体に設けられていること、
および、
上記プッシャーを押出するための内装復元体が上記基体の空所に収納されていること、 および、
ボルト締着時において、上記内装復元体の復元力に抗して上記ボルト雄螺子部がプッシャーを押入することにより、上記取付け体が上記基体に取着されるものであること、
および、
ボルト弛緩時に上記基体雌螺子穴から離脱する上記ボルトについて、そのボルトのボルト雄螺子部が上記内装復元体の復元力で上記取付け体の座繰り穴に収納保持されるものであること、
を特徴とする締着ボルトの弛緩時脱落防止装置。
【発明の詳細な説明】
【０００１】
【発明の属する技術分野】
本発明は例えば原子力発電所の使用済燃料ピット等の上に設置される機材のように、その締着ボルトを脱落させてしまうことが許されないような場合にあって、当該締着ボルトを弛緩させた際、これが落下してしまうことを防止するのに用いられることとなる締着ボルトの弛緩時脱落防止装置に関する。
【０００２】
【従来の技術】
これまで用いられている締着ボルトの弛緩時脱落防止装置としては、図２に開示の如く基体１と、これに取着される取付け体２と、ボルト３とにより構成されており、基体１の一面１ａには基体雌螺子穴１ｂが開口され、取付け体２には、一面１ａに当接される取付け面２ａに開口の座繰り穴２ｂよりも小径にて、同軸に連設された取付け体雌螺子孔２ｃが貫設されている。ボルト３は、頭部３ａと、取付け体雌螺子孔２ｃに螺回されることで座繰り穴２ｂに抜出され、さらに基体１における基体雌螺子穴１ｂに螺進されることとなる。したがってボルト３は、基体１の一面１ａに取付け体２を締着自在としたボルト雄螺子部３ｂと、このボルト雄螺子部３ｂと前記頭部３ａとを連設した首下細成杆部３ｃとにより構成されている。
【０００３】
従来の締着ボルトの弛緩時脱落防止装置を使用するときは、基体１に取付け体２を載置し、ボルト３を螺回してボルト雄螺子部３ｂを取付け体雌螺子孔２ｃに螺回して行き、さらに座繰り穴２ｂに遊挿されたボルト雄螺子部３ｂを基体雌螺子穴１ｂに螺進することで基体１に取付け体２を締着する。次にボルト３を逆螺回して弛緩させれば、ボルト３のボルト雄螺子部３ｂは基体雌螺子穴１ｂから離脱して図２に開示の如く座繰り穴２ｂに収納状態となる。
【０００４】
上記の状態では、ボルト雄螺子部３ｂの深長Ｌよりも、座繰り穴２ｂの深長Ｌ１の方が大となるように設定されているから、ボルト雄螺子部３ｂは基体雌螺子穴１ｂから完全に抜け出すことになるが、ボルト３はその基体雌螺子部３ｂが、取付け体雌螺子孔２ｃに押当することで、不本意な離脱が阻止されることになる。しかしこの際は、ボルト弛緩操作をしていてボルト３が基体雌螺子穴１ｂから抜出たかどうかを確認するのが可成り困難なため、完全な抜出がなされないまま逆螺回操作を終えてしまうことがある。ボルト雄螺子部３ｂが僅かではあるが、基体雌螺子穴１ｂに係装されていたりする場合、また、抜出が完全になされていてもボルト３の重量が基体雌螺子穴１ｂに印加されていたりする場合には、ボルト３の自重と外的振動などの影響により、基体雌螺子穴１ｂに対してボルト雄螺子部３ｂが噛合されることがある。この結果、取付け体２を取り除く際に、基体１やボルト雄螺子部３ｂを傷つけてしまうことがある。
【０００５】
【発明が解決しようとする課題】
本発明は上記従来の弛緩時脱落防止装置の課題に鑑みなされたものであり、それはつぎのようなことを目的とするものである。一つは、逆螺回によるボルト弛緩時、外力振動等を受けても再度雌螺子穴とボルト雄螺子部とが不本意に噛合することがなく、取付け体の取り外しに際し当該噛合に起因した部材の破損や事故の発生を防止することである。他の一つは、復元力を利用するための内装復元体について、その配設位置が外部に露呈しないように、基体に形成した空所にあって内装復元体を閉装してしまうと共に、当該内装復元体の復元力によって、基体雌螺子穴からプッシャーを押出自在となし、かくしてボルト弛緩時、基体雌螺子穴から離脱したボルト雄螺子部を上部のプッシャーによって座繰り穴に収容自在とし、このようにして全く邪魔にならない内装復元体の採択により、ボルトの螺回操作性を良好にすることである。
【０００６】
【課題を解決するための手段】
本発明に係る締着ボルトの弛緩時脱落防止装置は上記の目的を達成するためにつぎの課題解決手段を特徴とする。
すなわち本発明のものは、
基体雌螺子穴が開口されている基体、
および、
上記基体の一面に当接される取付け面に座繰り穴が開口されていて、その座繰り穴と同軸状に連続する取付け体雌螺子孔が貫設されている取付け体、
および、
首下細成杆部と、首下細成杆部の一端に連設された頭部と、上記取付け体を上記基体に締着するため首下細成杆部の他端に連設されたものであって、上記取付け体雌螺子孔に螺回することで上記基体の座繰り穴より上記基体雌螺子穴に螺進されるボルト雄螺子部とからなるボルト、
を具備してなる締着ボルト弛緩時脱落防止装置において、
上記基体の基体雌螺子穴にプッシャーが遊嵌されていること、
および、
上記基体の基体雌螺子穴に連通する空所がその基体に設けられていること、
および、
上記プッシャーを押出するための内装復元体が上記基体の空所に収納されていること、
および、
ボルト締着時において、上記内装復元体の復元力に抗して上記ボルト雄螺子部がプッシャーを押入することにより、上記取付け体が上記基体に取着されるものであること、
および、
ボルト弛緩時に上記基体雌螺子穴から離脱する上記ボルトについて、そのボルトのボルト雄螺子部が上記内装復元体の復元力で上記取付け体の座繰り穴に収納保持されるものであること、
を特徴とする。
【０００７】
【発明の実施の形態】
本発明に係る締着ボルトの弛緩時脱落防止装置について図示の実施形態を説明する。
【０００８】
図１を参照するところの締着ボルトの弛緩時脱落防止装置は、以下の構成が前記従来例と実質的に同一であり、この図１の説明でも同一部材については前記と同一符号が用いられている。すなわち図１のものは、基体雌螺子穴１ｂを開口された「基体１」、および、この基体１の一面１ａに当接される取付け面２ａに開口の座繰り穴２ｂと、これに同軸にて連設の取付け体雌螺子孔２ｃとを設けてなる「取付け体２」、および、頭部３ａと、取付け体雌螺子孔２ｃに螺回されることで座繰り穴２ｂを介して基体１の基体雌螺子穴１ｂに螺進され、これにより基体１に対して取付け体２を締着自在としたボルト雄螺子部３ｂと、このボルト雄螺子部３ｂと頭部３ａとを連設した首下細成杆部３ｃとからなる「ボルト３」の三構成部材を具備している。ここで、もちろん必要に応じ頭部３ａと取付け体２との間に、座金等の別部材が付加されることもある。
【０００９】
図１の本発明装置についてこれが従来例と相違するところは下記の通りである。すなわち基体１には基体雌螺子穴１ｂに比して大寸法に形成された空所１ｃが連設されており、基体雌螺子穴１ｂにはプッシャー１ｄが遊嵌されると共に、空所１ｃにはプッシャー１ｄを押出するための内装復元体１ｅが収置されている。
【００１０】
図１での内装復元体１ｅとしてはコイルスプリング等による発条体でも、ゴム等による弾性体等外力により変形した後、外力が消失することで復元するような部材を用いることができるが、図１ではコイルスプリングが採択されている。さらにプッシャー１ｄには、基体雌螺子穴１ｂからの抜け出しを阻止させるため大寸法に形成された抜け止め鍔１ｆが設けられており、その抜け止め鍔１ｆと空所１ｃの奥底部１ｇとの間に内装復元体１ｅが弾持されている。
【００１１】
図１において、ボルト３を正螺回して基体１に取付け体２を取着するときは、ボルト３のボルト雄螺子部３ｂが取付け体雌螺子孔２ｃを螺進し、さらに座繰り穴２ｂを介してプッシャー１ｄを押圧して行くことで基体雌螺子穴１ｂに螺合することになり、ボルト３の頭部３ａが取付け体２に直接または間接に押当されることで取付け体２の取着が終わる。この際、内装復元体１ｅには当然のことながら充分に圧縮されることで復元力が蓄勢されている。
【００１２】
図１において、ボルト３を弛緩させて取付け体２を取り除くときは、ボルト３の逆螺回によってボルト雄螺子部３ｂが基体雌螺子穴１ｂから離脱し、ボルト３がコイルスプリング等による内装復元体１ｅの復元力に基づくプッシャー１ｄの押動によって押圧され、ボルト雄螺子部３ｂが座繰り穴２ｂに衝当した収納状態が保持されることになる。従って前記の通り、作業者はボルト３の引き抜き離脱状態を確認できて無用な螺回の続行を行わずにすみ、その後、外力である振動等に起因した再螺合に基づく当該部材の損傷問題も解消される。また、内装復元体１ｅが露呈されていないのでボルトの螺回操作も行い易い。
【００１３】
【発明の効果】
本発明に係る締着ボルトの弛緩時脱落防止装置は下記(1)(2)のような効果を有する。
(1) 逆螺回によるボルト弛緩時、外力振動等を受けても再度雌螺子穴とボルト雄螺子部とが不本意に噛合することがないから、取付け体の取り外しに際し当該噛合に起因した部材の破損や事故の発生を防止することができる。
(2) 内装復元体を基体の空所に収納してこれを外部に露呈させないようにしたので、ボルトの締着と弛緩に際しての操作が行い易い。また、この内装復元体と共動するプッシャーによってボルトを押動自在としたことから、ボルトを基体雌螺子穴から離脱させる作動についてもその信頼性を高めることが可能となる。
【図面の簡単な説明】
【図１】本発明に係る締着ボルトの弛緩時脱落防止装置を示した要部縦断正面図
【図２】従来の締着ボルトの弛緩時脱落防止装置を示した要部縦断正面図
【符号の説明】
１    基体
１ａ  一面
１ｂ  基体雌螺子穴
１ｃ  空所
１ｄ  プッシャー
１ｅ  内装復元体
２    取付け体
２ａ  取付け面
２ｂ  座繰り穴
２ｃ  取付け体雌螺子孔
２ｄ  復元体用座繰り穴
３    ボルト
３ａ  頭部
３ｂ  ボルト雄螺子部
３ｃ  首下細成杆部
【図１】
0004014783.tif 000002
【図２】
0004014783.tif 000003